【手続補正書】
【提出日】平成18年11月22日(2006.11.22)
【手続補正１】
【補正対象書類名】明細書
【補正対象項目名】発明の名称
【補正方法】変更
【補正の内容】
【発明の名称】記録装置および記録方法
【手続補正２】
【補正対象書類名】明細書
【補正対象項目名】特許請求の範囲
【補正方法】変更
【補正の内容】
【特許請求の範囲】
【請求項１】
デジタルデータと、このデジタルデータの検索情報とが記憶されている第１の記録媒体から再生される上記デジタルデータおよび上記検索情報を、第２の記録媒体に記録するとともに、上記検索情報から作成されるデータを、上記第２の記録媒体のうち、すでに記録済みの第１の記録媒体の検索情報から生成されたデータを管理する管理テーブルに記録する記録手段と、
上記再生されるデジタルデータを、上記記録手段により上記第２の記録媒体に記録するとき、上記検索情報から生成されるデータと、上記管理テーブルに記録されている、すでに記録済みの第１の記録媒体の検索情報から生成されたデータとに基づいて、上記再生されるデジタルデータの記録の可否を制御する制御手段と
を備え、
この制御手段は、特定の第１の記録媒体からのデジタルデータの記録が許可された場合、その特定の第１の記録媒体の検索情報から生成されるデータに基づいて上記管理テーブルを更新する制御を実行する
ようにした記録装置。
【請求項２】
請求項１に記載の記録装置において、
上記制御手段は、上記検索情報から生成されるデータが上記管理テーブルに記録されているときには、上記再生されるデジタルデータを上記記録手段により記録することを禁止する
ようにした記録装置。
【請求項３】
請求項１に記載の記録装置において、
上記制御手段は、上記検索情報から生成されるデータが上記管理テーブルに記録されているときには、上記再生されるデジタルデータを上記記録手段によりすでに記録されていることを警告する
ようにした記録装置。
【請求項４】
請求項１に記載の記録装置において、
上記制御手段は、上記検索情報から生成されるデータが上記管理テーブルに記録されていないときには、上記再生されるデジタルデータを上記記録手段により記録することを許可する
ようにした記録装置。
【請求項５】
請求項１に記載の記録装置において、
上記デジタルデータを圧縮する圧縮手段を備え、
上記再生されるデジタルデータを記録するとき、上記再生されるデジタルデータを上記圧縮手段により圧縮し、
この圧縮結果のデジタルデータを記録する
ようにした記録装置。
【請求項６】
請求項１に記載の記録装置において、
上記デジタルデータはオーディオデータである
ようにした記録装置。
【請求項７】
請求項６に記載の記録装置において、
上記管理テーブルは、トラック数、トラックの開始位置、トラックの終了位置、およびタイトル情報のうちの少なくとも一つを含む
ようにした記録装置。
【請求項８】
請求項３に記載の記録装置において、
上記制御手段は、上記特定の第１の記録媒体がすでに記録されていることを上記特定の第１の記録媒体のタイトルを含む情報を表示手段に表示して警告する
ようにした記録装置。
【請求項９】
請求項１に記載の記録装置において、
上記制御手段は、上記検索情報から生成されるデータが上記管理テーブルに記録されているときには、上記特定の第１の記録媒体をイジェクトする
ようにした記録装置。
【請求項１０】
請求項３に記載の記録装置において、
上記第１の記録媒体はコンッパクトディスクである
ようにした記録装置。
【請求項１１】
請求項１０に記載の記録装置において、
上記検索情報はコンッパクトディスクのトック情報である
ようにした記録装置。
【請求項１２】
請求項１１に記載の記録装置において、
上記第２の記録媒体はハードディスクである
ようにした記録装置。
【請求項１３】
請求項１に記載の記録装置において、
上記制御手段は、上記検索情報から生成されるデータが上記管理テーブルに記録されているときには、記録しようとした上記デジタルデータを上記第２の記録媒体から再生する
ようにした記録装置。
【請求項１４】
デジタルデータと、このデジタルデータの検索情報とが記憶されている第１の記録媒体から再生される上記デジタルデータおよび上記検索情報を、第２の記録媒体に記録するとともに、上記検索情報から作成されるデータを、上記第２の記録媒体のうち、すでに記録済みの第１の記録媒体の検索情報から生成されたデータを管理する管理テーブルに記録する記録処理と、
上記再生されるデジタルデータを、上記記録手段により上記第２の記録媒体に記録するとき、上記検索情報から生成されるデータと、上記管理テーブルに記録されている、すでに記録済みの第１の記録媒体の検索情報から生成されたデータとに基づいて、上記再生されるデジタルデータの記録の可否を制御する制御処理と
を備え、
この制御処理は、特定の第１の記録媒体からのデジタルデータの記録が許可された場合、その特定の第１の記録媒体の検索情報から生成されるデータに基づいて上記管理テーブルを更新する制御を実行する
ようにした記録方法。
【請求項１５】
請求項１４に記載の記録方法において、
上記制御処理は、上記検索情報から生成されるデータが上記管理テーブルに記録されているときには、上記再生されるデジタルデータを上記記録手段により記録することを禁止する
ようにした記録方法。
【請求項１６】
請求項１４に記載の記録方法において、
上記制御処理は、上記検索情報から生成されるデータが上記管理テーブルに記録されているときには、上記再生されるデジタルデータを上記記録手段によりすでに記録されていることを警告する
ようにした記録方法。
【請求項１７】
請求項１４に記載の記録方法において、
上記制御処理は、上記検索情報から生成されるデータが上記管理テーブルに記録されていないときには、上記再生されるデジタルデータを上記記録手段により記録することを許可する
ようにした記録方法。
【請求項１８】
請求項１４に記載の記録方法において、
上記制御処理は、上記検索情報から生成されるデータが上記管理テーブルに記録されているときには、上記特定の第１の記録媒体をイジェクトする
ようにした記録方法。
【請求項１９】
請求項１４に記載の記録方法において、
上記制御処理は、上記検索情報から生成されるデータが上記管理テーブルに記録されているときには、記録しようとした上記デジタルデータを上記第２の記録媒体から再生する
ようにした記録方法。
【手続補正３】
【補正対象書類名】明細書
【補正対象項目名】０００１
【補正方法】変更
【補正の内容】
【０００１】
【発明の属する技術分野】
この発明は、記録装置および記録方法に関する。
【手続補正４】
【補正対象書類名】明細書
【補正対象項目名】０００９
【補正方法】変更
【補正の内容】
【０００９】
【課題を解決するための手段】
この発明においては、
デジタルデータと、このデジタルデータの検索情報とが記憶されている第１の記録媒体から再生される上記デジタルデータおよび上記検索情報を、第２の記録媒体に記録するとともに、上記検索情報から作成されるデータを、上記第２の記録媒体のうち、すでに記録済みの第１の記録媒体の検索情報から生成されたデータを管理する管理テーブルに記録する記録手段と、
上記再生されるデジタルデータを、上記記録手段により上記第２の記録媒体に記録するとき、上記検索情報から生成されるデータと、上記管理テーブルに記録されている、すでに記録済みの第１の記録媒体の検索情報から生成されたデータとに基づいて、上記再生されるデジタルデータの記録の可否を制御する制御手段と
を備え、
この制御手段は、特定の第１の記録媒体からのデジタルデータの記録が許可された場合、その特定の第１の記録媒体の検索情報から生成されるデータに基づいて上記管理テーブルを更新する制御を実行する
ようにした記録装置
とするものである。
したがって、すでに内容を記録装置にコピーした媒体は、記録装置に再度のコピーが禁止される。